(57)【要約】携帯性および収納性を高めた小さく折りたためるマスクの提供。図１に示すように、一層もしくは複数層に重ねたろ過材を中央線で２つ折にしたとき中央部に長方形の形状のろ過材片を有すると共に、該長方形のろ過材片の長辺部分を底辺とする三角形のろ過材片が該長方形の上下方向に一体的に構成され、且つ、該長方形のろ過材片の短辺にしめひもを設けたことを特徴とする小さく折りたためるマスクである。  また、マスク本体の中心線を鼻梁の線に合致させ、左右に展開された被覆シートによって鼻部、口部、及び顎付近を覆い、左右の被覆シート側縁部にしめひもを設けたマスクにおいて、左右の被覆シート上縁に鼻梁の線とほぼ直交するように伸縮性を有するゴム紐を設けたことを特徴とするマスクでり、分別廃棄不要で、且つ、経時的に鼻部周辺の押さえつけが弱まらないマスクである。
2010103688.tif 000002
【特許請求の範囲】
【請求項１】
マスク本体の中心線を装着者の鼻梁の線に合致させ、左右に展開された被覆シートによって鼻部、口部、及び顎付近を覆い、左右の被覆シート側縁部にしめひもを設けたマスクにおいて、左右の被覆シート上縁に鼻梁の線とほぼ直交するように伸縮性を有するゴム紐を設けたことを特徴とするマスク。
【請求項２】
一層もしくは複数層に重ねたろ過材を中央線で２つ折にしたとき中央部に長方形の形状のろ過材片を有すると共に、該長方形のろ過材片の長辺部分を底辺とする三角形のろ過材片が該長方形の上下方向に一体的に構成され、且つ、該長方形のろ過材片の短辺にしめひもを設けたことを特徴とする小さく折りたためるマスク。
【請求項３】
前記請求の範囲１または２に記載のマスクにおいて、長方形の形状のろ過材片と上下方向に設けられた三角形状のろ過材片とのそれぞれの交点より三角形状のろ過材片の対向辺の中点付近を結んだ辺を溶融して固めてハリとしたことを特徴とする請求の範囲１または請求の範囲２記載のマスク。
【発明の詳細な説明】
【技術分野】
【０００１】
本発明は医療、食品衛生、一般産業用、花粉対策、感染予防対策及び日常生活において、衛生上用いられるマスク一般産業用及び感染予防対策などに用いられるマスクに関し、装着者の顔面に密着させることが困難な鼻部の密着性を高めると共に、携帯性及び収納性を高めた小さく折りたためるマスクに関する。
【背景技術】
【０００２】
一般産業用に使用されているマスクの形状は、マスク本体（ろ過材）がカップ形状タイプと、折りたたみ形状タイプがある。カップ形状のマスクとしては、例えば図８に示されているように、マスク本体（ろ過材）１の周縁部と接顔布４の周縁部との接合部５に沿って保形具３を挿入したマスクがある。（例えば特開２００３−３２００４１号公報  特許文献１参照）また、この方法の改良として特許文献２（特開２００６−３０５２７９号公報）にはシート状フィルタに軟質アルミニウムなどの金属部品を貼り合わせ、特に起伏のはげしい鼻部周辺は、金属部品を曲げて各個人の鼻部に合わせるマスクが記載されている。しかし、この場合各個人で自己の顔型（鼻部形状）に合わせて曲げなければならず、曲げても容易には合わせ難い。曲げが甘いと合わなく、曲げすぎても合わない。更に、このマスクは、使い捨て式防じんマスク及びその他の簡易マスク等の比較的安価なマスクに使用されているが、金属を使用しているため、廃棄の際、金属部品を分別しなければならず、煩わしいという問題がある。近年では、軟質アルミニウムなどの金属製に替わる素材としてポリオレフィン系合成樹脂からなる形状保持機能を備えた可撓性の形状保持材料を使用したものもあるが（特許文献３）、高価な材料であることと、時間と共に押さえつけがゆるむといった問題がある。これらのマスクは顔側とろ過材との空隙を保ちやすい反面、収納性及び携帯性に問題がある。
折りたたみ形状のマスクとしては、例えば図１０に示されているようなマスクであるが、これを折り畳んだ状態での投影面積が決して小さくなく、顔面側との空隙を確保することも困難である。
【先行技術文献】
【特許文献】
【０００３】
【特許文献１】特開２００３−３２００４１号公報
【特許文献２】特開２００６−３０５２７９号公報
【特許文献３】特開２００６−４３２２７号公報
【発明の概要】
【発明が解決しようとする課題】
【０００４】
本願発明は、上記の欠点を改良したもので、分別廃棄が不要で、且つ、経時的に鼻部周辺の押さえつけが弱まらない安価な素材を使用して、鼻の両脇の隙間ができやすい個所の密着性を向上させると共に、マスク１個当たりの梱包容積が小さく、マスクを携帯する際にもかさばらないで、且つ顔面との空隙を確保しやすく呼吸のしやすい構造の小さく折りたためるマスクを提供する。
【課題を解決するための手段】
【０００５】
本発明の要旨は、マスク本体の中心線を鼻梁の線に合致させ、左右に展開された被覆シートによって鼻部、口部、及び顎付近を覆い、左右の被覆シート側縁部にしめひもを設けたマスクにおいて、左右の被覆シート上縁に鼻梁の線とほぼ直交するように伸縮性を有するゴム紐を設けたことを特徴とするマスクであり、また、一層もしくは複数層に重ねたろ過材を中央線で２つ折にしたとき中央部に長方形の形状のろ過材片を有すると共に、該長方形のろ過材片の長辺部分を底辺とする三角形のろ過材片が該長方形の上下方向に一体的に構成され、且つ、該長方形のろ過材片の短辺にしめひもを設けたことを特徴とする小さく折りたためるマスクである。更に、これらのマスクにおいて、長方形の形状のろ過材片と上下方向に設けられた三角形状のろ過材片とのそれぞれの交点より三角形状のろ過材片の対向辺の中点付近を結んだ辺を溶融して固めてハリとすることによって該マスクを容易に長方形状に折り畳むことが出来るので好ましい。
【発明の効果】
【０００６】
本発明に係るマスクは金属片またはポリオレフィン等の合成樹脂を使用することなく単一の素材で構成されているので分別廃棄が不要で、且つ、伸縮性を有するゴムひもの様な安価な材料によって構成されているので調整が不要であり、また、経時的に鼻部周辺の押さえつけが弱まらないように、鼻部の密着性を高めることができた。さらに該マスクとして長方形のろ過材を底辺とする三角形状のろ過材を前記長方形の上下方向に一体的に構成することによって、マスクのろ過材と顔面との間の空隙を確保しやすいので呼吸がしやすく、又、直方形状に小さく折り畳むことが出来るので、折り畳んだ状態で手帳に入れたり、胸ポケットに入れたりすることができ、携帯時に効果がある。
【図面の簡単な説明】
【０００７】
図１は本発明に係るマスクの中央線で２つ折にしたときの平面図。
図２は図１の展開平面図。
図３は本発明のマスクを装着したときの側面図。
図４は本発明のマスクを携帯又は梱包用に折り畳む状態を示す説明図。
図５は本発明に係る他のマスクの正面図。
図６は本発明に係る図５のマスクを装着した斜視図。
図７は本発明に係る他のマスクを装着した斜視図。
図８は従来のカップ形状タイプのマスクの裏面より見た斜視図。
図９は他の従来のカップ形状タイプのマスクで（ａ）正面図（ｂ）側面図。
図１０は従来の折りたたみ形状タイプのマスクの折り畳んだ状態の側面図。
【発明を実施するための最良の形態】
【０００８】
次に本発明について詳細に述べる。
本発明で使用するろ過材としては不織布やガーゼ等通常マスクのろ過材として使用されているもので、該ろ過材を１層もしくは数枚積層したもので、これを所要個所に融着又はカットして本発明に係るマスクを構成するのである。その際、長方形の形状のろ過材片の頂点と上下方向に設けられた三角形状のろ過材片の対向辺の中点付近を結んだ辺を溶融して固めてハリとすることによって該マスクの形状を容易に保持すると共に、コンパクトに長方形状に折り畳むことが出来るので好ましい。
また、本発明に係るマスクは、ガーゼや不織布などのろ過材でマスク本体を構成し、該マスク本体の中心線は顔面の鼻梁の線に合わせ、左右に展開した被覆シートによって鼻部、口部、及び顎付近を覆い、被覆シートの両側縁にしめひもを設けてある。そして、本発明にかかるマスクでは左右の被覆シートの上縁に鼻梁の線とほぼ直交するように伸縮性を有するゴム紐を設けて左右の被覆シートを顔面の中央方向に引っ張り、顔面の中心である鼻及びその近傍の凹凸面にフィットするようになっている。
このようなマスクを装着したときマスクの中央凸部の上部頂点及び下部頂点より左右の被覆シートの上辺及び下辺のほぼ中央にかけて線状に融着したハリを設けることが好ましく、このようなハリによって、鼻部の凸状形状に保形し易く、又、不使用時に折り畳みやすく、且つ、薄く平にコンパクトに折り畳むことが出来るので収納することが容易であり、例えばポケットや手帳の間などに収納することが可能である。
【実施例】
【０００９】
具体的に図をもって本発明に係るマスクの形状について説明すると、図１は本発明に係るマスクを２つ折にしたものであり、図２はこれを構成するための平面展開図である。図２に示すように、長方形のろ過材を輪郭Ａ、Ｂ、Ｘ、Ｈ、Ｃ、Ｃ´、Ｄ´、Ｄ、Ｍ、Ｏ´Ｎ、Ｇ、Ｇ´、Ｆ´、Ｆ、Ｉ、Ｙ、ＥおよびＡの形状に切断し、中心線Ａ，Ｏ´で２つ折に折り畳み、ＡＢとＡＥおよびＢＸとＥＹとを融着し、Ｃ´Ｄ´、Ｇ´Ｆ´をＣＤ、ＧＦに沿ってそれぞれ内側に曲げ貫通孔をもうけ、これにしめひもを通すと、図１に示す本発明に係るマスクの２つ折にした状態となる。なお、ＸとＹとが重なった点をＯとする。そして、各辺を超音波溶着等によって固めることにより、折り畳み、展開が容易となる。さらに、Ａより対向辺のＤＯ´およびＯ´Ｇの中点付近Ｍ，Ｎに至る線及びＢより対向辺のＣＯ及びＯＦの中点付近Ｈ、Ｉに至る線を超音波溶着等によって固めてハリを形成することによってマスクを立体的に保持したり、或いは折り畳んでコンパクトにすることがより一層容易にできる。
本発明に係るマスクの着用に際しては、マスクのＯ´Ｏ線を顔面の鼻梁に合わせ、これより顔面に沿って左右に開き、しめひもを頭部にかけて保持することによって、鼻及び口を覆うことが出来る。その際、ＡＭ及びＡＮは人の鼻脇の凹部に追従させる為の折り目の役割を持ち、ＡＤ、ＢＣ及びＡＧ、ＥＦは使用者の鼻を覆う立体的な形状を保持し、ＢＨＯＩＥは顎の輪郭にマッチする。本発明に係るマスクを装着した状態の側面図を図３として示す。
次に、本発明に係るマスクの梱包や携帯時の折り畳みの状態を図４（ａ）〜図４（ｃ）に示す。図４（ａ）は本発明に係るマスクの使用時を示す。但ししめひもに関する部分を省略する。使用後、図４（ａ）において、ＡＭ及びＡＮを谷側の折れ線として内側に畳み込むとＡＤ，ＡＯ´及びＡＧを一直線に重なる。同様にして、ＢＣ、ＢＦ及びＢＯを一直線に重なる。その際Ｍ、ＮとＨ、Ｉとが重ならないようにすることによってより薄く畳むことが出来る。このようにして折り畳まれたマスクは外形がＡＢＣＤの直方形を呈し無駄のない形態を得ることができる。
また、図５は本発明に係るマスクの正面図である。図５に示すように、マスクの中央に中心線ＯＯ´を設け、その左右に顔面を覆う被覆シート１，１´が展開されている。被覆シート１，１´の上縁部に１本の伸縮性のゴムひも５を中心線ＯＯ´とほぼ直交得るように、ゴムひも５の端部を被覆シート１，１´に引っ張った状態で取り付け、左右の被覆シートを中央部に引っ張るようにする。そして左右の被覆シートの側縁部にしめひも取付部３，４及び３´，４´を設けて、しめひも２、２´を取り付け装着者の頭部にかけて装着すると上述のゴムひもによって被覆シートは鼻部、口及び顎付近をピッタリと覆うことが出来る。この装着した状態の斜視図を図６に、その側面図を図７に示す。更に、図６及び図７においてマスク中央部の上部頂点Ｐより被覆シートの上縁部に向かって線状に融着したハリＭ，Ｍ´を、また、下部頂点Ｑより被覆シートの下縁部に向かって線状に融着したハリＮ，Ｎ´を設けることによって鼻部の凸状形状を保形し易く、又、不使用時に薄く平にコンパクトに折り畳むことが出来るので例えばポケットや手帳の間などに収納することが可能である。
【産業上の利用可能性】
【００１０】
本発明の小さく折りたためるマスクは、非常に軽量であり、装着時には顔面との空隙を確保しやすく呼吸がしやすい、折り畳んだ時はかさばら無いので、例えば手帳の間に差し込めるという利点を有する。
そして、本発明に係るマスクは金属片またはポリオレフィン等の合成樹脂を使用することなく単一の素材で構成されているので分別廃棄が不要で、且つ、伸縮性を有するゴム紐の様な安価な材料によって経時的に鼻部周辺の押さえつけが弱まらないように構成されているので、鼻部の密着性を高めることができる簡易な使い捨てマスクとして有用である。
【符号の説明】
【００１１】
Ａ、Ｂ、Ｘ（Ｏ）、Ｈ、Ｃ、Ｃ´、Ｄ´、Ｄ、Ｍ、Ｏ´、Ｎ、Ｇ、Ｇ´、Ｆ´、Ｆ、Ｉ、Ｙ（Ｏ）、は本発明に係るマスクの各頂点。
ＡＭ、ＡＮ、ＡＤ、ＡＧ、Ｂ（Ｏ）Ｃ，Ｅ（Ｏ）Ｆ、Ｂ（Ｏ）Ｈ，Ｅ（Ｏ）Ｉは、装着時にマスクを立体に保持するためのハリ。
１  マスク本体（ろ過材）
２  しめひも
３  保形具
４  接願布
５  ろ過材と接願布との結合部
６  鼻部を覆う部分の中央部
７  金属片又はスポンジ
１，１´：被覆シート、２：しめひも、３，４及び３´，４´：しめひも取付部、５：ゴムひも、Ｐ：上部頂点、Ｑ：下部頂点、Ｍ、Ｍ´：上部ハリ、Ｎ，Ｎ´：下部ハリ
【図１】
2010103688.tif 000003
【図２】
2010103688.tif 000004
【図３】
2010103688.tif 000005
【図４】
2010103688.tif 000006
【図５】
2010103688.tif 000007
【図６】
2010103688.tif 000008
【図７】
2010103688.tif 000009
【図８】
2010103688.tif 000010
【図９】
2010103688.tif 000011
【図１０】
2010103688.tif 000012
【手続補正書】
【提出日】平成22年8月25日(2010.8.25)
【手続補正１】
【補正対象書類名】特許請求の範囲
【補正対象項目名】全文
【補正方法】変更
【補正の内容】
【特許請求の範囲】
【請求項１】
（削除）
【請求項２】
一層もしくは複数層に重ねたろ過材を中央線で２つ折にしたとき中央部に長方形の形状のろ過材片を有すると共に、該長方形のろ過材片の長辺部分を底辺とする三角形のろ過材片が該長方形の上下方向に一体的に構成された被覆シートよりなるマスク本体であって、該マスク本体の中心線を装着者の鼻梁の線に合致させ、左右に展開された被覆シートによって鼻部、口部、及び顎付近を覆い、左右の被覆シート側縁部にしめひもを設けたマスクにおいて、左右の被覆シート上縁に鼻梁の線とほぼ一致直交するように伸縮性を有するゴム紐を設けたことを特徴とする小さく折りたためるマスク。
【請求項３】
前記請求項２に記載のマスクにおいて、長方形のろ過材片と上下方向に設けられた三角形状のろ過材片とのそれぞれの交点より三角形状のろ過材片の対向辺の中点付近を結んだ辺を溶融して固めたハリとしたことを特徴とする請求の範囲２記載のマスク。
【国際調査報告】
2010103688.tif 000013
2010103688.tif 000014
2010103688.tif 000015
2010103688.tif 000016
2010103688.tif 000017
2010103688.tif 000018
2010103688.tif 000019